(57)【要約】【課題】従来に比べてより簡単な構造で、広角に光を拡散させ、広い空間の照明に適合させる。【解決手段】錘状部分（１１）を有する透明体（１）と、錘状部分（１１）の中心軸線から放射状に配置され、透明体（１）の頂部側から錘状部分（１１）に向けて光を照射する複数の光源（２）と、を備えた。【選択図】        図１
2004303686.tif 000002
【特許請求の範囲】
【請求項１】
錘状部分を有する透明体と、前記錘状部分の中心軸線の周りに配置され前記錘状部分の頂部側から当該錘状部分に向けて光を照射する複数の発光ダイオードとを備え、少なくとも２以上の発光ダイオードで同時に前記錘状部分に向けて光を照射するように構成されていることを特徴とする照明装置。
【請求項２】
前記複数の発光ダイオードには光の波長が異なる発光ダイオードが含まれていることを特徴とする請求項１に記載の照明装置。
【請求項３】
前記複数の発光ダイオードを選択的に発光できるように構成されていることを特徴とする請求項２に記載の照明装置。
【発明の詳細な説明】
【０００１】
【発明の属する技術分野】
本発明は、発光ダイオードを用いる照明装置に関する。
【０００２】
【従来の技術】
従来、広角に光を拡散させ、広い空間を照明する照明装置がある。この照明装置は、図７に示すように、円錐状に形成された透明体２０１の中央部分の頂点側から底面側に貫通する穴２０２を設け、この穴２０２に発光ダイオード２０３を設けたものである。そして、このような構成とすることにより、発光ダイオード２０３から照射された光が、透明体２０１内部の穴２０２の壁面で屈折及び分光し、屈折及び分光した光が周面２０４でいろいろな方向に反射することにより、発光ダイオード２０３から照射された光を広角に拡散できるようになっている（例えば、特許文献１参照。）。
【０００３】
【特許文献１】
特開２０００−２６０２０３号公報
【０００４】
【発明が解決しようとする課題】
しかしながら、従来の照明装置においては、穴２０２に設けられる発光ダイオード２０３は１つであり、そのため比較的に照度が低く、警告灯や常夜灯に用いる場合には兎も角、比較的高い照度が必要とされる室内灯として使用する場合には具合が悪かった。
【０００５】
本発明は、かかる問題点に鑑みなされたもので、比較的に照度が高い、発光ダイオード使用の照明装置を提供することを目的とする。
【０００６】
【課題を解決するための手段】
請求項１に記載の照明装置は、錘状部分を有する透明体と、前記錘状部分の中心軸線の周りに配置され前記錘状部分の頂部側から当該錘状部分に向けて光を照射する複数の発光ダイオードとを備え、少なくとも２以上の発光ダイオードで同時に前記錘状部分に向けて光を照射するように構成されていることを特徴とする。この場合の錘状部分には錘台状部分も含む。
この照明装置によれば、発光ダイオードから照射された光は錘状部分を透過したり、錘状部分で反射して拡散することから、広角的に照明することが可能となる。特に、少なくとも２以上の発光ダイオードで同時に照射するため、その発光ダイオードからの光は錘状部分で透過や反射して様々な方向に発散するので、より広角的に照明することが可能となる。また、少なくとも２以上の発光ダイオードで同時に照射しているので、従来に比べて、照度も向上することになる。
【０００７】
請求項２に記載の照明装置は、請求項１に記載の照明装置において、前記複数の発光ダイオードには光の波長が異なる発光ダイオードが含まれていることを特徴とする。
この照明装置によれば、光の波長が異なる発光ダイオードを含むので、それらを同時に点灯した場合には、その組み合わせに応じた色の光で照明することができる。
【０００８】
請求項３に記載の照明装置は、請求項２に記載の照明装置において、前記複数の発光ダイオードを選択的に発光できるように構成されていることを特徴とする。
この照明装置によれば、複数の発光ダイオードを選択的に発光できるので、照度を変えたり、照明色を変更することができる。
【０００９】
【発明の実施の形態】
以下、図面を参照して本発明の実施の形態における照明装置について詳細に説明する。なお、本実施の形態においては、照明装置を室内灯に利用した例について説明する。
図１に示すように、照明装置１００は、照明部１０と、この照明部１０が取り付けられたボックス２０とを備えている。
【００１０】
照明部１０は、透明体１と、この透明体１に光を照射する光源としての発光ダイオード２とを備えている。
【００１１】
透明体１は、光を透過するアクリル、透明プラスチックまたはガラス等によって、図２に示すように全体が円錐状に形成されている。
なお、この透明体１は錘状部分を有していればよく、必ずしも、全体を円錐状に形成する必要はない。
また、透明体１は円錐状部分に代えて角錐状部分を有していてもよい。
さらに、透明体１は、発光ダイオード２から照射される光を透過可能なものであれば、無色透明なものに限らず、有色透明なものであってもよい。
【００１２】
本実施形態の照明装置１００は透明体１の錘状部分の頂点側に複数の発光ダイオード２を備えている。そして、この複数の発光ダイオード２は、図３に示すように、錘状部分の中心軸線１１の周りに配置されている。より具体的には、複数の発光ダイオード２は、透明体１の錘状部分の中心軸線から放射状に並ぶように配置されている。複数の発光ダイオード２のうちの一部の発光ダイオード２は他の発光ダイオード２と異なる波長の光を発光する。例えば、一部に赤色発光ダイオードを用い、その他の部分に緑色の発光ダイオードを用いる。本実施形態の照明装置１００では、２つの波長の光を発する発光ダイオードを用いており、一の波長の光を発する発光ダイオード２は図上で○（白丸）で表され、他の波長の光を発する発光ダイオード２は図上で●（黒丸）で表されている。
そして、これら発光ダイオード２は、ダイオード駆動回路（図示略）に接続されており、スイッチ（図示略）をＯＮにすることで発光して透明体１の錘状部分を頂点側から照射するようになっている。また、ダイオード駆動回路には切替スイッチが設けられており、この切替スイッチの人為的な切替えによって一の波長の光を発する発光ダイオード２のみを選択的に点灯したり、２つの波長の光を発する発光ダイオード２を同時に点灯できるようにされている。また、点灯する発光ダイオード２の個数を切替えできるようにしてもよい。
なお、発光ダイオード２を錘状部分の中心軸線１１に合致する箇所にも配置してよいことはもとよりである。要は、複数の発光ダイオード２が錘状部分の中心軸線１１の周りに配置されていることである。
【００１３】
照明部１０はボックス２１に取り付けられている。ボックス２１は基枠２１ａと蓋体２１ｂとから構成されており、基枠２１ａと蓋体２１ｂは図示しないねじによって互いに組み付けられている。
このうち基枠２１ａには筒状部２１ｃが設けられている。この筒状部２１ｃ内には基板２２が設置され、この基板２２には前記発光ダイオード２その他の回路構成部品が取り付けられている。一方、蓋体２１ｂには円形状の開口２１ｄが形成されている。
【００１４】
ボックス２１にはカバー体２４が付設される。このカバー体２４は、光を透過するアクリル、透明プラスチックまたはガラス等によって、図２に示すようにハット状に形成されている。このカバー体２４内には透明体１が嵌合されている。
このカバー体２４は、鍔部分が前記筒状部２１ｃと蓋体２１ｂとによって挟持され頭部分が前記開口２１ｄから外側に突出するように前記ボックス２１に取り付けられる。
なお、カバー体２４は、発光ダイオード２から照射される光を透過可能なものであれば、無色透明なものに限らず、有色透明なものでもよい。また、筒状部２１ｃの内面はミラーとなっていることが好ましい。
【００１５】
以上のように構成された照明装置１００は全体が露出するように天井２５等に取り付けられるか、カバー部分だけが露出するようにボックス部分をビルトインすることにより天井２５等に取り付けられる。
【００１６】
次に、照明装置１００の作用について説明する。
ダイオード駆動回路のスイッチをＯＮにすると、発光ダイオード２は発光し、その光が透明体１の頂部側から錘状部分に向けて照射される。そして、発光ダイオード２から照射された光は錘状部分を透過したり、錘状部分で反射して拡散する。この場合、本実施形態の照明装置１００によれば、発光ダイオード２が錘状部分の中心軸線の周りに複数配置されているため、透明体１の周囲にほぼ一様に光を拡散する。
【００１７】
本実施形態によれば、発光ダイオード２は通常の光源として用いられる電球や蛍光灯等に比べて消費電力が少ないため、電力消費量の低減化を図ることができ、地球環境にやさしい照明装置１００を提供することができる。
また、このような照明装置１００を用いることにより、少ない消費電力で広角に周囲を照射させることができるとともに、インテリアとしての美的な趣の高いものとすることができる。
【００１８】
なお、本発明は、上記実施の形態に限定されるものではない。例えば、図４に示すように、透明体１を円錐台状に形成してもよい。このような構成とすることにより、一部の発光ダイオード２の光を直進させ、残りの発光ダイオード２の光を反射させることができるので、照射範囲や外観を変化させることができる。もちろん、透明体１を四角錘台形状等に形成してもよい。
その他、本発明は、発明の要旨を逸脱しない範囲内で自由に変更、改良が可能である。
【００１９】
また、本発明の照明装置１００は図５または図６に示すように壁や天井などに取り付けて、センサ付き停電用非常灯や照明灯として地下街、トンネル、電車内、船舶等に設置することができる。
【００２０】
【発明の効果】
本発明の代表的なものの効果について説明すれば、錘状部分を有する透明体と、前記錘状部分の中心軸線の周りに配置され前記錘状部分の頂部側から当該錘状部分に向けて光を照射する複数の発光ダイオードとを備え、少なくとも２以上の発光ダイオードで同時に前記錘状部分に向けて光を照射するように構成されているので、広角的に照明することが可能となる。また、少なくとも２以上の発光ダイオードで同時に照射しているので、従来に比べて、照度も向上するとともに、透明体の周囲にほぼ一様に光が拡散することになる。さらに、本発明の照明装置は従来の信号灯等より明るく、太陽光の下にあっても見やすく、しかも省エネに適する。
【図面の簡単な説明】
【図１】本発明の実施の形態における発光装置を備えた室内灯の断面図である。
【図２】本発明の実施の形態における透明体の斜視図である。
【図３】本発明の実施の形態における発光ダイオードの配置を説明する平面図である。
【図４】本発明の実施の形態における他の例の透明体を有する発光装置を備えた室内灯の断面図である。
【図５】本発明の発光装置を壁に取り付けた状態を示す斜視図である。
【図６】本発明の発光装置を天井に取り付けた状態を示す斜視図である。
【図７】従来技術における発光装置の斜視図である。
【符号の説明】
１        透明体
２        発光ダイオード（光源）
１０      照明部
１１      中心軸線
２１      ボックス
１００    照明装置
【図１】
2004303686.tif 000003
【図２】
2004303686.tif 000004
【図３】
2004303686.tif 000005
【図４】
2004303686.tif 000006
【図５】
2004303686.tif 000007
【図６】
2004303686.tif 000008
【図７】
2004303686.tif 000009